(57)【要約】  たばこ用容器は、容器本体を画定する外筒と、容器本体の一方の端に提供された底部と、容器本体の他方の端に提供されたリッドと、外筒に取り付けられた第一の膜とを備え、ここで第一の膜はリッドと製品の間に位置する。容器は、第一の膜と容器本体の底部との間に位置する少なくとも一つの追加的な膜を備える。【選択図】図１
2017535492.tif 000002
【特許請求の範囲】
【請求項１】
たばこ用容器であって、
−容器本体を画定する外筒と、
−前記容器本体の一方の端に提供された底部と、
−前記容器本体の他方の端に提供されたリッドと、
−前記外筒に取り付けられた第一の膜であって、前記第一の膜が前記リッドと前記容器の内容物との間に位置するものとを備え、
特徴として、
前記容器が前記第一の膜と前記容器本体の前記底部との間に位置する少なくとも一つの追加的な膜を備える、たばこ用容器。
【請求項２】
前記第一および前記少なくとも一つの追加的な膜が、前記容器内に第一および少なくとも第二の区画を画定する、請求項１に記載のたばこ用容器。
【請求項３】
前記膜が、金属箔、アルミ箔、紙またはプラスチック材料、またはその任意の組み合わせから作製される、請求項１〜２のいずれか１項に記載のたばこ用容器。
【請求項４】
前記膜が前記外筒に糊付けされる、請求項１〜３のいずれか１項に記載のたばこ用容器。
【請求項５】
前記膜が熱シール層を備え、かつ前記外筒に熱シールされる、請求項１、２または３のいずれか１項に記載のたばこ用容器。
【請求項６】
前記熱シール層が、熱可塑性ポリマー、特にポリオレフィン、ポリエチレンまたはポリエチレンテレフタラートを含む、請求項５に記載のたばこ用容器。
【請求項７】
前記膜が、ＡＳＴＭ  Ｅ  ９６に従い測定して、１０グラム毎平方メートル・日より低い、好ましくは０．１〜６グラム毎平方メートル・日、より好ましくは０．５〜５グラム毎平方メートル・日、最も好ましくは１．０グラム毎平方メートル・日より低い水蒸気透過率を持つ、請求項１〜６のいずれか１項に記載のたばこ用容器。
【請求項８】
前記容器の前記断面が、円形、楕円形、三角形、四角形、長方形または多角形である、請求項１〜７のいずれか１項に記載のたばこ用容器。
【請求項９】
前記第一の膜および前記少なくとも一つの追加的な膜が一般的に、前記容器の前記底部および前記リッドに平行な向きである、請求項１〜８のいずれか１項に記載のたばこ用容器。
【請求項１０】
前記少なくとも一つの追加的な膜が、前記第一の膜と前記容器の前記底部との間に等距離で配置されている、請求項１〜９のいずれか１項に記載のたばこ用容器。
【請求項１１】
前記膜にその除去を促進するティアタップまたは弱化線が提供されている、請求項１〜１０のいずれか１項に記載のたばこ用容器。
【請求項１２】
前記容器が任意の数の追加的な膜、特に１つ、２つ、３つ、４つ、５つまたは６つの追加的な膜を備える、請求項１〜１１のいずれか１項に記載のたばこ用容器。
【請求項１３】
前記製品が固体、粉末状、粒子状、ペースト様、流体またはガス状の形態で提供される、請求項１〜１２のいずれか１項に記載のたばこ用容器。
【請求項１４】
少なくとも２つの区画が異なる製品を含む、請求項１〜１３のいずれか１項に記載のたばこ用容器。
【請求項１５】
少なくとも一つの区画がたばこ製品を含む、請求項１〜１４のいずれか１項に記載のたばこ用容器。
【請求項１６】
１つ以上の区画が、空でも、あるいは望ましい任意の消費者製品、特に喫煙アクセサリー製品を含んでもよい、請求項１〜１５のいずれか１項に記載のたばこ用容器。
【請求項１７】
たばこ用容器を製造するためのプロセスであって、
（ａ）容器本体を画定する外筒および前記容器本体の一方の端に提供された底部を備える容器を形成する工程と、
（ｂ）第一の製品を前記容器に充填する工程と、
（ｃ）前記第一の製品を前記容器内に密封するための膜を提供する工程と、
（ｄ）第二の製品を前記容器内に充填する工程と、
（ｅ）前記第二の製品を前記容器内に密封するためのさらなる膜を提供する固定と、
（ｆ）前記容器本体の前記第二の端を封鎖するためのリッドを提供する工程とを含む、プロセス。
【請求項１８】
追加的な製品を含む追加的なシールされた区画を得られるように、工程（ｃ）および（ｄ）が繰り返される、請求項１７に記載のプロセス。
【請求項１９】
前記膜が熱シール層を備え、かつ前記容器本体の前記内部表面に熱シールされる、請求項１７または１８のいずれか１項に記載のプロセス。
【発明の詳細な説明】
【技術分野】
【０００１】
本発明は、製品、特にルースたばこ用のシールされた容器を対象とする。
【０００２】
傷みやすい製品（ルースたばこなど）用の従来的な容器は、外筒、底部およびリッドを備えて製造される。流体およびガスが漏れない膜は外筒にシールされ、再密閉可能なリッドと容器の内容物との間に位置する。膜は通常、製品の鮮度および含水量を維持するために、優れたバリア属性を確実にする適切な材料から作製される。
【背景技術】
【０００３】
初めて開封する前に、また膜が破れていない限り、傷みやすい製品は環境の悪影響から保護され、その品質は長期間にわたり維持される。ルースたばこでは、鮮度は普通最低１２か月まで保証される。ところが、膜が開封されると、傷みやすい製品は環境条件に晒される。製品の物理的、視覚的および味覚的な性質は、膜のシールが除去された後に持続的に低下する。
【０００４】
膜のシールが開封された後でも、製品の少なくとも一部分の鮮度および水分を維持するような、製品、特にルースたばこ用の容器を持つことが望ましい。
【発明の概要】
【０００５】
本発明によれば、容器本体を画定する外筒と、容器本体の一方の端に提供された底部と、容器本体の他方の端に提供されたリッドと、外筒に取り付けられた第一の膜とを備える容器が提供されており、第一の膜は、容器のリッドと内容物との間に位置する。第一の膜は、容器内の内容物を密封する。さらに、容器は、第一の膜と容器本体の底との間に位置する少なくとも一つの追加的な膜を備える。
【０００６】
第一の膜および少なくとも一つの追加的な膜が、容器内に少なくとも２つの区画を画定し、ここで、区画は詰められる第一および第二の製品を備える。第一および第二の製品は、同一製品の第一の部分および第二の部分としうる。第一の製品および第二の製品は、異なる製品でもよい。
【０００７】
第一の膜は、容器の一次的な密封を確実にする。再密閉可能なリッドは、容器の二次的な封鎖を提供する。
【０００８】
少なくとも一つの追加的な膜により、容器内に少なくとも一つの追加的なシールされた区画が画定される。各区画に含まれる製品は、それぞれの膜が開封されていない限り、個別に鮮度が維持される。消費者が第一の区画を開封しても、別の区画内に含まれる製品の鮮度が維持され、消費者は製品を消費する時期を選択できる。
【０００９】
区画の底部は、容器本体の下側に取り付けられている別個の要素から形成されうる。底部は、外筒に糊付け、熱シール、溶接またはボンド付けしうる。別の実施形態では、底部は、容器の外筒の下側部分を折り畳むことにより得られうる。
【００１０】
外筒および容器の底部は、紙、厚紙、多層材料、プラスチック、金属またはその他の任意の適切な材料から成る群から選択される同一または異なる材料から作製されうる。材料は、ポリエチレン（ＰＥ）フィルム、ポリエチレンテレフタラート（ＰＥＴ）フィルム、アルミニウム薄層形成した紙の層、金属化ポリエチレンテレフタラートフィルムまたはその他の任意の適切な薄層形成材料で積層しうる。好ましい実施形態では、外筒は熱シール層を含む。随意に、容器は、容器の内容物を表示するラベル層を備えうる。ラベルは、紙、プラスチック箔またはその他の任意の印刷可能な材料から作製されうる。
【００１１】
膜は、金属箔、アルミ箔、紙、プラスチック材料またはその任意の組み合わせを含む、適切な任意の材料から作製される。膜の材料は、好ましくは容器およびその区画に詰められる製品の要件に従い選択されうる。容器に使用されるすべての膜は、必ずしも同一の材料から作製されなくてもよい。特に複数の異なる製品が詰められる容器では、膜の材料の選択は製品のニーズに適合されうる。このように、容器の製造の経済的側面も考慮されうる。
【００１２】
膜は、ＡＳＴＭ  Ｅ  ９６に従い測定して、２０グラム毎平方メートル・日（ｇ／ｍ2／ｄ）より低い、さらに好ましくは１０グラム毎平方メートル・日より低い、より好ましくは０．１〜６グラム毎平方メートル・日、さらに好ましくは０．５〜５グラム毎平方メートル・日、および最も好ましくは１．０グラム毎平方メートル・日より低い水蒸気透過率を持つことが好ましい。これらの透過率は、傷みやすい商品のパッケージに使用される容器用に特に有用である。
【００１３】
膜は、特に膜が外筒に糊付け、溶接、ボンド付けまたは熱シールされる、適切な任意のプロセスによって外筒に取り付けられうる。膜が熱シールされる時、それらは適切な熱シール層を含む。特に、熱シール層は、ポリエチレンまたはポリエチレンテレフタラートなどの熱可塑性ポリマーを含みうる。
【００１４】
第一の膜は、普通は、容器本体の出し入れ口に近接して外筒に取り付けられる。このために、第一の膜は、外筒の内部表面に取り付けられてもよく、または外筒の上端またはリムに取り付けられてもよい。少なくとも一つのさらなる膜が、外筒の内部表面に取り付けられる。膜は、均等サイズの区画が形成されるように、容器の高さにわたり均等に分布されることが好ましい。ところが、詰められる製品に応じて、区画のサイズ、よって膜間の距離は、区画内に詰められる個別の製品に適合されうる。
【００１５】
詰められる製品の要件に応じて、製品が容器内に気密的に保存されるように、膜によって提供されるシールは密封シールでもよい。
【００１６】
容器は、適切な任意の断面を持ってもよく、詰められる製品の形状に適合されてもよい。容器の断面は、円形、楕円形、三角形、四角形、長方形のまたは多角形であることが好ましい。容器の端部は、好ましくは丸みを持ちうる。容器が柔軟性のある外筒材料から形成される場合、容器の断面はその他の任意の不規則な形状を持ちうる。
【００１７】
膜は、望ましい任意の向きに外筒に取り付けることができる。膜は一般的に、底部およびリッドと平行であり、かつ一般的に外筒に直交する向きであることが好ましい。
【００１８】
膜には、ティアタップ（ｔｅａｒ  ｔａｐ）または弱化線が提供されることが好ましい。こうしたティアタップまたは弱化線は、膜の除去を促進し、かつ消費者による容器の取り扱いを増加させうる。
【００１９】
本発明の容器には、任意の数の追加的な膜が提供されうる。膜の数、従って、容器に提供されている区画の数は詰められる製品に依存する。容器は、１つ、２つ、３つ、４つ、５つまたは６つの追加的な膜を備えることが好ましい。
【００２０】
容器内に詰められる製品は、固体、粉末状、粒子状、ペースト様、流体またはガス状の形態で提供されることが好ましい。容器の少なくとも２つの区画は、異なる製品を含むことがさらに好ましい。すべての区画が必ずしも製品を含まなくてもよい。その代わり、１つ以上の区画は空のままにしておいてもよい。１つ以上の区画は、詰められた傷みやすい製品のうち一つと共に使用されるアクセサリーなど、傷みやすくない消費者物品を含んでもよい。
【００２１】
好ましい一つの実施形態では、詰められる製品は、傷みやすい商品でもよく、あるいは特殊なシール属性が要求される製品でもよい。
【００２２】
特に好ましい実施形態では、少なくとも一つの区画は、たばこ製品、最も好ましくはルースカットフィラーたばこを含む。容器の少なくとも一つの区画がたばこ製品を含む場合、容器の少なくとも一つのその他の区画は、例えば、ライター、マッチ、携帯式灰皿、フィルターチップ、フィルターチューブまたは紙巻たばこ紙などの喫煙アクセサリー製品を含みうる。
【００２３】
本発明は、傷みやすい製品用の容器を製造するための方法も対象とする。方法は、容器本体および容器本体の一方の端に提供された底部を画定する外筒を含む容器を形成する工程と、第一の製品を容器に充填する工程と、第一の製品を容器内に密封するための膜を提供する工程と、第二の製品を容器内に充填する工程と、第二の製品を容器内に密封するためのさらなる膜を提供する工程とを含む。随意に、追加的な製品および追加的な膜が容器に提供される。方法はまた、容器本体の第二の端を封鎖するためのリッドを提供する工程も含む。
【００２４】
膜は、糊付け、ヒートシール、溶接またはボンド付けなどの適切な任意の技法により、容器に取り付けられる。容器の膜は、同一の技法により取り付けられる必要はない。その代わり、膜を取り付ける技法は、膜の材料に応じて、およびそれぞれの区画に詰められる製品に応じて、個別に選択されうる。膜が熱シールにより取り付けられる場合、膜は熱シール層を備えなければならない。
【００２５】
本発明の好ましい実施形態は、上述した任意の好ましい実施形態の組み合わせである。
【００２６】
本発明は以下の添付図面を参照しながら、例証としてのみであるがさらに説明する。
【図面の簡単な説明】
【００２７】
【図１】図１は、２つの追加的なシール膜を含む円形断面を持つ、本発明による容器を示す。
【図２】図２は、３つの追加的なシール膜を含む四角形断面を持つ、本発明による容器を示す。
【発明を実施するための形態】
【００２８】
図１は、一般的に円筒形および円形断面を持つ外筒１２を備える、ルースたばこ用の容器１０を示す。容器１０の下端には、底部要素１４が外筒１２に密封するように接続されている。リッド１６は、容器の二次的な封鎖を提供するために上端に提供されている。リッド１６の下には、第一の取り外し可能な膜１８が外筒の内部表面に密着するように接続されている。２つの追加的な膜２０ａ、２０ｂは、第一の膜１８と容器１０の底部１４との間に提供されている。追加的な膜２０ａ、２０ｂは、容器１０内に追加的な区画を形成する。
【００２９】
容器１０の外筒１２および底部１４は、ポリエチレンフィルムおよびアルミ箔で積層したボール紙ブランクで作製される。膜１８、２０ａ、２０ｂは、熱シール層を含むアルミ箔から作製される。膜１８、２０ａ、２０ｂは、容器１０の内部表面に熱シールされる。再封鎖可能なリッド１６は、適切な任意のプラスチック材料から作製される。
【００３０】
第一の膜１８を開封することにより、一番上の区画に配置されているたばこのみが環境に晒され、乾燥および風味の喪失に晒される。その下の２つの区画内に提供されたたばこは、追加的な膜２０ａ、２０ｂによってまだ密封された状態にあり、一番上の区画に提供されているたばこが消費されている間はその品質が維持される。消費者が一番上の区画にあるたばこを消費し終えた後、中央の区画内に提供されているたばこへのアクセスを得るために、第二の膜２０ａが開封される。
【００３１】
ここでも、第二の膜２０ａを除去して開封後、中央の区画内に提供されているたばこの部分のみが環境に晒され、乾燥および風味の喪失にさらされる。一番下の区画内に提供されたたばこは、追加的な膜２０ｂによってまだ密封された状態にあり、中央の区画に提供されているたばこが消費されている間は、その品質が維持される。一番下の区画に提供されているたばこ部分は、第三の膜２０ｂが開封されて除去されるまでは環境に晒されない。
【００３２】
図２は、一般的に円筒形および四角形の断面を持つ外筒１２を備える、ルースたばこ用の容器１０を示す。容器１０の下端には、底部要素１４が外筒１２に密封するように接続されている。リッド１６は、ヒンジ接続２２によって外筒１６の上端にヒンジ式に接続され、容器１０の二次的な封鎖が提供される。第一の取り外し可能な膜１８は容器の上端に提供され、容器１０の外筒１２のリムに密封するように接続される。３つの追加的な膜２０ａ、２０ｂ、２０ｃは、第一の膜１８と容器１０の底部１４との間に提供されている。異なるサイズの区画を得られるように、追加的な膜２０ａ、２０ｂ、２０ｃは、容器１０の高さにわたり等距離には分布されない。
【図１】
2017535492.tif 000003
【図２】
2017535492.tif 000004
【国際調査報告】
2017535492.tif 000005
2017535492.tif 000006
2017535492.tif 000007